(57)【要約】【課題】光ピックアップユニットベースの厚みの薄型化の実現と、その厚みが薄くなった光ピックアップユニットベースに変形や割れ等のクリープを発生させることなく、その光ピックアップユニットベースの厚み内に含油メタル軸受を容易に取付けるようにする。【解決手段】板バネで構成された取付け部材６１の取付け部６５で含油メタル軸受５２の外周を保持し、この取付け部材６１で含油メタル軸受５２を光ピックアップユニットベース５０の位置決め部６４に押圧させた状態で、この取付け部材６１を光ピックアップユニットベース５０の厚みＴ１内にネジ止めする。【選択図】図６
2006216151.tif 000002
【特許請求の範囲】
【請求項１】
ディスク状記録媒体に情報を記録及び／又は再生するピックアップ手段が搭載されたピックアップユニットベースと、
前記ピックアップユニットべースを案内するガイド主軸の外周に挿入される軸受を該ピックアップユニットベースの一側部に脱着可能に取付ける取付け手段とを有し、
これら軸受及び取付け手段が前記ピックアップユニットベースの厚み内に収容されている
ことを特徴とするディスクドライブ装置用のピックアップユニット。
【請求項２】
前記ピックアップユニットベース又は前記取付け手段の何れか一方又は両方に前記軸受の位置決め部が形成されている
ことを特徴とする請求項１に記載のディスクドライブ装置用のピックアップユニット。
【請求項３】
２個の前記軸受を前記ピックアップユニットベースに同時に取付けることができる２個の取付け部が前記取付け手段に備えられている
ことを特徴とする請求項１に記載のディスクドライブ装置用のピックアップユニット。
【請求項４】
前記取付け手段が板バネで構成されている
ことを特徴とする請求項１に記載のディスクドライブ装置用のピックアップユニット。
【請求項５】
前記板バネが前記軸受の外周をほぼ１８０°以上囲繞して前記ピックアップユニットベースに取付けるように構成されている
ことを特徴とする請求項４に記載のディスクドライブ装置用のピックアップユニット。
【請求項６】
前記軸受の外周で、軸方向のほぼ中央部に形成された環状の凹部に前記取付け手段が係合される
ことを特徴とする請求項１に記載のディスクドライブ装置用のピックアップユニット。
【請求項７】
前記ピックアップユニットベースの一側部に取付けられて、ディスクドライブ装置のピックアップユニット送り機構におけるリードスクリューのラセン溝に弾性的に係合される係合子が前記板バネの一部に形成された弾性を有する係合子支持部に固着されている
ことを特徴とする請求項４に記載のディスクドライブ装置用のピックアップユニット。
【請求項８】
前記軸受が円筒状の含油メタル軸受で構成されている
ことを特徴とする請求項１に記載のディスクドライブ装置用のピックアップユニット。
【請求項９】
前記ピックアップユニットの厚みが約３ｍｍ、前記ガイド主軸の直径が約１．５ｍｍ、前記軸受の外径が約２．３ｍｍに構成されている
ことを特徴とする請求項１に記載のディスクドライブ装置用のピックアップユニット。
【請求項１０】
ディスク状記録媒体を回転駆動するスピンドルモータ及びピックアップユニット送り機構が搭載されたディスクドライブユニットべ−スと、
前記ディスク状記録媒体に情報を記録及び／又は再生するピックアップ手段が搭載されたピックアップユニットベースに搭載されたピックアップユニットとを備え、
前記ピックアップユニットが前記ディスクドライブユニットべ−スの開口部内にガイド主軸及びガイド副軸によって前記ディスク状記録媒体の半径方向に移動自在に支持され、該ピックアップユニットが前記ピックアップユニット送り機構によって前記ディスク状記録媒体の半径方向へ移送されるディスクドライブ装置用のディスクドライブユニットにおいて、
前記ガイド主軸の外周に挿入される軸受を前記ピックアップユニットベースの一側部に脱着可能に取付ける取付け手段を備え、
これら軸受及び取付け手段が前記ピックアップユニットベースの厚み内に収容されている
ことを特徴とするディスクドライブ装置用のディスクドライブユニット。
【請求項１１】
前記ピックアップユニットベース又は前記取付け手段の何れか一方又は両方に前記軸受の位置決め部が形成されている
ことを特徴とする請求項１０に記載のディスクドライブ装置用のディスクドライブユニット。
【請求項１２】
２個の前記軸受を前記ピックアップユニットベースに同時に取付けることができる２個の取付け部が前記取付け手段に備えられている
ことを特徴とする請求項１０に記載のディスクドライブ装置用のディスクドライブユニット。
【請求項１３】
前記取付け手段が板バネで構成されている
ことを特徴とする請求項１０に記載のディスクドライブ装置用のディスクドライブユニット。
【請求項１４】
前記板バネが前記軸受の外周をほぼ１８０°以上囲繞して前記ピックアップユニットベースに取付けるように構成されている
ことを特徴とする請求項１３に記載のディスクドライブ装置用のディスクドライブユニット。
【請求項１５】
前記軸受の外周で、軸方向のほぼ中央部に形成された環状の凹部に前記取付け手段が係合される
ことを特徴とする請求項１０に記載のディスクドライブ装置用のディスクドライブユニット。
【請求項１６】
前記ピックアップユニットベースの一側部に取付けられて、ディスクドライブ装置のピックアップユニット送り機構におけるリードスクリューのラセン溝に弾性的に係合される係合子が前記板バネの一部に形成された弾性を有する係合子支持部に固着されている
ことを特徴とする請求項１３に記載のディスクドライブ装置用のディスクドライブユニット。
【請求項１７】
前記軸受が円筒状の含油メタル軸受で構成されている
ことを特徴とする請求項９に記載のディスクドライブ装置用のディスクドライブユニット。
【請求項１８】
前記ピックアップユニットの厚みが約３ｍｍ、前記ガイド主軸の直径が約１．５ｍｍ、前記軸受の外径が約２．３ｍｍに構成されている
ことを特徴とする請求項１０に記載のディスクドライブ装置用のディスクドライブユニット。
【請求項１９】
ローディング・イジェクト用スライドベースの開口部内に複数個の緩衝用インシュレータによって弾性的に支持されたディスクドライブユニットベースにディスク状記録媒体を回転駆動するスピンドルモータ及びピックアップユニット送り機構が搭載されたディスクドライブユニットと、
前記ディスク状記録媒体に情報を記録及び／又は再生するピックアップ手段がピックアップユニットベースに搭載されたピックアップユニットとを備え、
前記ピックアップユニットが前記ディスクドライブユニットべ−スの開口部内にガイド主軸及びガイド副軸を介して前記ディスク状記録媒体の半径方向に移動自在に支持され、該ピックアップユニットが前記ピックアップユニット送り機構によって前記ディスク状記録媒体の半径方向へ移送されるディスクドライブ装置において、
前記ガイド主軸の外周に挿入される軸受を前記ピックアップユニットベースの一側部に脱着可能に取付ける取付け手段を備え、
これら軸受及び取付け手段が前記ピックアップユニットベースの厚み内に収容されている
ことを特徴とするディスクドライブ装置。
【請求項２０】
前記ピックアップユニットベース又は前記取付け手段の何れか一方又は両方に前記軸受の位置決め部が形成されている
ことを特徴とする請求項１９に記載のディスクドライブ装置。
【請求項２１】
２個の前記軸受を前記ピックアップユニットベースに同時に取付けることができる２個の取付け部が前記取付け手段に備えられている
ことを特徴とする請求項１９に記載のディスクドライブ装置。
【請求項２２】
前記取付け手段が板バネで構成されている
ことを特徴とする請求項１９に記載のディスクドライブ装置。
【請求項２３】
前記板バネが前記軸受の外周をほぼ１８０°以上囲繞して前記ピックアップユニットベースに取付けるように構成されている
ことを特徴とする請求項２２に記載のディスクドライブ装置。
【請求項２４】
前記軸受の外周で、軸方向のほぼ中央部に形成された環状の凹部に前記取付け手段が係合される
ことを特徴とする請求項１９に記載のディスクドライブ装置用のディスクドライブユニット。
【請求項２５】
前記ピックアップユニットベースの一側部に取付けられて、ディスクドライブ装置のピックアップユニット送り機構におけるリードスクリューのラセン溝に弾性的に係合される係合子が前記板バネの一部に形成された弾性を有する係合子支持部に固着されている
ことを特徴とする請求項２２に記載のディスクドライブ装置。
【請求項２６】
前記軸受が円筒状の含油メタル軸受で構成されている
ことを特徴とする請求項１９に記載のディスクドライブ装置。
【請求項２７】
前記ピックアップユニットの厚みが約３ｍｍ、前記ガイド主軸の直径が約１．５ｍｍ、前記軸受の外径が約２．３ｍｍに構成されている
ことを特徴とする請求項１９に記載のディスクドライブ装置。
【発明の詳細な説明】
【技術分野】
【０００１】
本発明は、ＣＤ、ＣＤ−ＲＯＭ、ＣＤ−Ｒ／ＲＷ、ＤＶＤ、記録型ＤＶＤ等の光ディスクや光磁気ディスクその他のディスク状記録媒体に映像情報等の情報を記録及び／又は再生するためのディスクドライブ装置用のピックアップユニット、そのピックアップユニットが搭載されたディスクドライブ装置用のディスクドライブユニットと、そのディスクドライブユニットが搭載されたディスクドライブ装置に関するものである。
【背景技術】
【０００２】
従来から、ＣＤ、ＣＤ−ＲＯＭ、ＣＤ−Ｒ／ＲＷ、ＤＶＤ等の光ディスクや光磁気ディスク等のディスク状記録媒体に映像情報を記録及び／又は再生するディスクドライブ装置の一例としての光ディスクドライブ装置は、ケース（外筐）内から出し入れされるローディング・イジェクト用スライドベースと、そのスライドベースの開口部内に複数個のインシュレータによって弾性的に支持された光ディスクドライブユニットとを備えている。
【０００３】
更に、その光ディスクドライブユニットにはディスク状記録媒体としての光学ディスクを回転駆動するスピンドルモータ及び光ピックアップユニット送り機構が搭載された光ディスクドライブユニットベースの開口部内に光ピックアップユニットが搭載されていて、その光ピックアップユニットには光学ディスクに映像情報を記録及び／又は再生するピックアップ手段としての光ピックアップが搭載された光ピックアップユニットベースが備えられ、その光ピックアップユニットベースは光ディスクドライブユニットベースの開口部内でガイド主軸及びガイド副軸によって案内され、光ピックアップユニット送り機構によって駆動されることにより、光ピックアップを光学ディスクの半径方向へ移送して、その光学ディスクに映像信号を記録及び／又は再生するように構成されている（例えば、特許文献１〜３）。
【０００４】
近年、ノート型パソコン（パーソナルコンピュータの略）等の小型化、薄型化に伴い、ノート型パソコン内に組み込まれるように搭載される光ディスクドライブ装置のより一層の薄型化が要求されている。
そして、光ディスクドライブ装置の薄型化を促進する上では、光ピックアップユニットのベースである光ピックアップユニットベースの薄型化が最も重要である。
【０００５】
つまり、図１２の（Ａ）に示すように、従来から光ディスクドライブ装置では、光ピックアップが搭載されている光ピックアップユニットのベースである光ピックアップユニットベース１００はアルミニウムのダイカスト等にて成形されていて、厚みＴ10が５ｍｍ以上に構成されていた。
【０００６】
そして、この光ピックアップユニットベース１００の一側部１００ａで、その光ピックアップユニットベース１００の厚みＴ10のセンターＰ10上には軸受圧入用孔１０１が形成されて、その軸受圧入用孔１０１内に円筒状の含油メタル軸受１０２が機械的に圧入されている。そして、その含油メタル軸受１０２が光ディスクドライブユニットベース側に水平状に架設されたガイド主軸１０５の外周に摺動自在に挿入されている。
【０００７】
この際、光ピックアップユニットベース１００の厚みＴ10が５ｍｍ以上の十分な厚みに構成されていれば、例えば、外形Φ１０が２.３ｍｍの含油メタル軸受１０２を軸受圧入
用孔１０１内に機械的に圧入する際、光ピックアップユニットベース１００の厚みＴ10内における軸受圧入用孔１０１の上下部分１００ｂの肉厚ｔ１０がそれぞれ１．３５ｍｍ以上の強度的に十分な厚みを有していることから、その含油メタル軸受１０２の圧入時に、光ピックアップユニットベース１００の軸受圧入用孔１０１の上下部分１００ｂに変形、割れ等のクリープが発生せず、その軸受圧入用孔１０１内への含油メタル軸受１０２の圧入加工を安全、且つ、容易に行うことができる。
【０００８】
そこで、本発明の発明者が、光ピックアップユニットベース１００の薄型化を促進するために、次のような実験を試みたところ、次のような問題が発生した。
【０００９】
つまり、図１２の（Ｂ）に示すように、光ピックアップユニットベース１００の厚みＴ11を３ｍｍまで薄く形成し、ガイド主軸１０５の直径Φ1１を強度的に最小限とされる１
．５ｍｍに設定した場合、含油メタル軸受１０２の最小限の肉厚ｔ1１の強度的な値の最
小値が０．４ｍｍであることから、光ピックアップユニットベース１００の厚みＴ11のセンターＰ10上に加工された軸受圧入用孔１０１内に圧入される含油メタル軸受１０２の外径Φ11が２．３ｍｍとなる。そして、光ピックアップユニットベース１００の厚みＴ11内における軸受圧入用孔１０１の上下部分１００ｂの肉厚ｔ10がそれぞれ０．３５ｍｍと、非常に薄い肉厚となってしまう。
【００１０】
この結果、この軸受圧入用孔１０１内に含油メタル軸受１０２を機械的に圧入した際に、厚みｔ10が０．３５ｍｍと非常に薄く成っている光ピックアップユニットベース１００の含油メタル軸受１０２の上下部分１００ｂに変形、割れ等のクリープ１０４が発生してしまうと言う問題があった。
【特許文献１】特開２００１−３２５７７６号公報
【特許文献２】特開２００４−    ６０３７号公報
【特許文献３】特開２００４−１３２４５０号公報
【発明の開示】
【発明が解決しようとする課題】
【００１１】
本発明が解決しようとする問題点は、光ピックアップユニットベースの厚みを最大限に薄くした上で、その光ピックアップユニットベースの一側部に含油メタル軸受等の軸受を取付ける際に、その光ピックアップユニットベースの軸受外周部分に変形や割れ等のクリープが発生する点である。
【課題を解決するための手段】
【００１２】
本発明は、ディスク状記録媒体に情報を記録及び／又は再生するピックアップ手段が搭載されれたピックアップユニットベースの厚みを最大限薄くしながら、ガイド主軸の外周に挿通される軸受をそのピックアップユニットベース一側部で、そのピックアップユニットベースの厚み内に脱着可能に取付ける際に、そのピックアップユニットベースの軸受の外周部分に変形や割れ等のクリープが発生しないようにするために、その軸受をピックアップユニットベースの厚み内に収容される取付け手段によってピックアップユニットべースの一側部に取付けることを特徴とするものである。
【００１３】
また、本発明は、軸受をピックアップユニットベースに高精度に取付けることができるように、その軸受の位置決め部をピックアップユニットベース又は取付け手段の何れか一方或いは両方に形成することを特徴とするものであり、また、２個の軸受をピックアップユニットに同時に取付けることができるように、２個の軸受の取付け部を取付け手段に備えていることを特徴とするものである。
【００１４】
また、本発明は、軸受をピックアップユニットベースの一側部に脱着可能に取付ける取付け手段をそのピックアップユニットベースの厚み内に確実に収容することができるようにするために、その取付け手段を板バネで構成したことを特徴とするものであり、その際、板バネで軸受をピックアップユニットベースに簡単、強固に取付けることができるように、板バネが軸受の外周をほぼ１８０°以上囲繞することを特徴とするものである。
【００１５】
また、本発明は、軸受をピックアップユニットベースの一側部に脱着可能に取付ける取付け手段をそのピックアップユニットベースの厚み内に確実に収容することができるようにするために、軸受の外周で、軸方向の中間部分に形成した凹部に取付け手段を係合させることを特徴とするののであり、更に、軸受をピックアップユニットベースの一側部に取付けるための板バネで、ピックアップユニット送り機構のリードスクリューに係合される係合子をピックアップユニットベースへ取付けるの取付け手段を兼用することができるようにするために、その係合子を板バネの一部に形成された弾性を有する係合子支持部に固着させたことを特徴とするものである。
【発明の効果】
【００１６】
本発明のピックアップユニット、ディスクドライブユニットベース及びディスクドライブ装置は、ディスク状記録媒体に情報を記録及び／又は再生するピックアップ手段が搭載されたピックアップユニットベースの厚みを最大限に薄くしながら、ガイド主軸の外周に挿通される軸受をそのピックアップユニットベースの一側部で、そのピックアップユニットベースの厚み内に脱着可能に取付ける際に、そのピックアップユニットベースに変形や割れ等のクリープを発生させることなく、その軸受をピックアップユニットベースの厚み内に収容される取付け手段によってピックアップユニットべースの一側部に取付けることを特徴とするものであり、軸受をピックアップユニットベースの一側部に取付ける際に、軸受をピックアップユニットベースに圧入する工程を不要にすることができ、また、ピックアップユニットベースの軸受の外周部分に変形や割れ等のクリープが発生する問題も無くなることから、高品質で、超薄型のピックアップユニットベースを容易に製造することができ、超薄型のディスクドライブ装置を提供することが可能である。
【００１７】
本発明のピックアップユニット、ディスクドライブユニットベース及びディスクドライブ装置は、軸受の位置決め部をピックアップユニットベース又は取付け手段の何れか一方或いは両方に形成し、また、２個の軸受をピックアップユニット同時に取付けることができる２個の取付け部を１つの取付け手段に備えることによって、軸受をピックアップユニットベースに高精度に、高能率に取付けることができる。
【００１８】
本発明のピックアップユニット、ディスクドライブユニットベース及びディスクドライブ装置は、軸受をピックアップユニットベースの一側部に脱着可能に取付ける取付け手段を板バネで構成すること及び／又は板バネで軸受の外周をほぼ１８０°以上囲繞することにより、軸受をピックアップユニットベースの一側部に脱着可能に取付ける取付け手段をそのピックアップユニットベースの厚み内に確実に収容することができるようにすることができ、板バネで軸受をピックアップユニットベースに簡単、強固に取付けることができる。
【００１９】
本発明のピックアップユニット、ディスクドライブユニットベース及びディスクドライブ装置は、軸受の外周で、軸方向の中間部分に形成した環状の凹部に取付け手段を係合させること及び／又はピックアップユニットベースの一側部に取付けられて、ディスクドライブ装置のピックアップユニット送り機構のリードスクリューのラセン溝に弾性的に係合される係合子を、ピックアップユニットベースの一側部に軸受を着脱自在に取付ける板バネの一部に形成された弾性を有する係合子支持部に固着することによって、軸受をピックアップユニットベースの一側部に脱着可能に取付ける取付け手段の構造の簡素化を図りながら、その取付け手段をそのピックアップユニットベースの厚み内に確実に収容することができる。軸受をピックアップユニットベースの一側部に取付けるための板バネでディスクドライブ装置のピックアップユニット送り機構のリードスクリューへの係合子の取付け手段を兼用することができて、部品点数、組立工数の削減による低コスト化を実現できる。
【実施例１】
【００２０】
始めに、図１〜図７によって、ノート型パソコン等に適用するのに最適な本発明の超薄型のディスクドライブ装置の一例であって、直径１２ｃｍの光学ディスク対応の光ディスクドライブ装置の実施例１を説明する。
【００２１】
後述するように、本発明のディスクドライブ装置の一例である超薄型の光ディスクドライブ装置１は、扁平で中空状の筐体である外装２と、その外装２の一側部の開口部２ａから水平方向である矢印ａ、ｂ方向にローディング・イジェクト（出し入れすること）される扁平形状のローディング・イジェクト用スライドベース（以下、単にスライドベースと記載する）３とを備えていて、そのスライドベース３上にディスクドライブユニットの一例である扁平形状の光ディスクドライブユニット４及びピックアップユニットの一例である扁平形状の光ピックアップユニット５が搭載されている。
【００２２】
そして、光ディスクドライブユニット４はディスクドライブユニットベースの一例である扁平形状の光ディスクドライブユニットベース４０を備え、光ピックアップユニット５はピックアップユニットベースの一例である扁平形状の光ピックアップユニットベース５０を備えている。
【００２３】
ここで、図１は光ディスクドライブ装置１全体を示した斜視図であり、図２はその光ディスクドライブ装置１のスライドベース３に搭載された光ディスクドライブユニット４及び光ピックアップユニット５を示した斜視図であり、図３は光ピックアップユニット５を拡大した斜視図である。また、図４は光ピックアップユニット５の光ピックアップユニットベース５０への軸受の一例である含油メタル軸受５２の取付け構造６０とピックアップ送り機構の一例である光ピックアップ送り機構４５のリードスクリュー４５ｃへの係合子５４の取付け構造を示した分解斜視図であり、図５は図４の下方側を示した分解斜視図であり、図６は図４の組立て状態を示した縦断面状態での側面図であり、図７は図６の平面図である。
【００２４】
そこで、図１及び図２によって、光ディスクドライブ装置１全体の概要を説明すると、外装２内の一側部には図示省略されたローディング機構が収納されていて、このローディング機構によってスライドベース３が外装２の一側部の開口部３ａから内外へ矢印ａ、ｂ方向からローディング・イジェクトされるように構成されている。
【００２５】
このスライドベース３の上面には、ＣＤ、ＣＤ−ＲＯＭ、ＣＤ−Ｒ／ＲＷ、ＤＶＤ、記録型ＤＶＤ等の光ディスクや光磁気ディスク及びその他の各種のディスク状記録媒体の一例である光学ディスク６であって、直径１２ｃｍの光学ディスク６を水平状に収納することができ、全体として円形状の凹所３０が形成されている。このスライドベース３の凹所３０の底部には、外形が不等辺の多角形状に形成されている光ディスクドライブユニット４の外径に沿った開口部３１が形成されていて、その開口部３１内に光ディスクドライブユニット４がゴム等の弾性材料によって扁平形に形成されている複数個のインシュレータ３２を介して水平状に搭載されている。
【００２６】
そして、光ディスクドライブユニット４の外周フレームに相当し、不等辺の多角形状に形成されている扁平形状の光ディスクドライブユニットベース４０の一端側に垂直状に搭載されたスピンドルモータ４１のターンテーブル４１ａがスライドベース３の凹部７の中央に上向きに配置されている。そして、光学ディスク６が中心穴６ａによってこのターンテーブル４１ａ上に着脱自在で、水平状に装着されてスライドベース３の凹所３０内に収容されるように構成されている。なお、この光ディスクドライブユニットベース４０の内側には不等辺の多角形状に形成されている開口部４２がスピンドルモータ４１と直列状に形成されている。
【００２７】
また、光ピックアップユニット５は外形が不等辺の多角形状に形成されている扁平形状の光ピックアップユニットベース５０内にピックアップ手段である光ピックアップ５１が組み込まれたものであり、その光ピックアップ５１の対物レンズ５１ａが光ピックアップユニットベース５０の上面で、スピンドルモータ４１寄りの位置に上向きに配置されている。この光ピックアップユニット５は光ディスクドライブユニットベース４０内で、スピンドルモータ４１の横位置に大きく開口されている開口部４２内に水平状に収容されている。
【００２８】
そして、この光ピックアップユニットベース５０は光ディスクドライブユニットベース４０の両側部４０ａ、４０ｂの内側に沿って平行状で、水平状に架設されて、開口部４２内の両側位置に配置されたそれぞれ円柱軸からなるガイド主軸４３及びガイド副軸４４で案内されて、光学ディスク６の半径方向である矢印ｃ、ｄ方向にスライド自在に構成されている。また、この光ピックアップユニットベース５０は光ディスクドライブユニットベース４０の一側部に搭載されたピックアップユニット送り機構の一例である光ピックアップユニット送り機構４５によって矢印ｃ、ｄ方向にスライド駆動されるように構成されている。
【００２９】
なお、光ピックアップユニットベース５０の一側部５０ａが後述する円筒状の含油メタル軸受５２によって円柱軸からなるガイド主軸４３の外周に摺動自在に挿通されていて、その光ピックアップユニットベース５０の他側部５０ｂがほぼＵ型の係合部５３によって円柱軸からなるガイド副軸４４の上下に摺動自在に係合されている。
【００３０】
また、光ピックアップユニット送り機構４５は光ディスクドライブユニットべ−ス４０の一側部４０ａに搭載されて、その光ディスクドライブユニットベース４０の厚み内に収容されているスピンドルモータ４５ａと、そのスピンドルモータ４５ａによってギヤトレイン４５ｂを介して回転駆動される送り軸であるリードスクリュー４５ｃとによって構成されていて、そのリードスリュー４５ｃがガイド主軸４３の横位置に平行状に近接されている。そして、光ピックアップユニットベース５０の一側部に取付けられた係合子５４がほぼラックの歯に類似する形状に形成されていて、この係合子５４がリードスクリュー４５ｃの外周のラセン溝４５ｄに横側方から係合されている。
【００３１】
従って、スピンドルモータ４５ａによってギアトレイン４５ｂを介してリードスクリュー４５ｃが正逆回転駆動されることによって、光ピックアップユニットベース５０がガイド主軸４３及びガイド副軸４４で案内されながら矢印ｃ、ｄ方向へスライド駆動されるように構成されている。
なお、前述した複数のインシュレータ３２は光ディスクドライブユニットベース４０の外周部分に形成された複数のインシュレータ支持部４６の上下対向面に装着されて、スライドベース３の開口部３０の縁部分を上下から弾性的に挟持するように構成されている。
【００３２】
以上のような概要構造を備えた本発明の超薄型の光ディスクドライブ装置１は、ノート型パソコン等のスリット内に外装２によって装着されて使用される。そして、図１に示すように、光学ディスク６をスピンドルモータ４１のターンテーブル４１ａ上に水平に装着して、スライドベース３をローディング機構によって外装２内に矢印ａ方向からローディングする。
【００３３】
そして、コンピュータからのディスク記録、再生の指令信号によって、スピンドルモータ４１が光学ディスク６を回転駆動すると共に、光ピックアップ５１の対物レンズ５１ａによって光ビームが光学ディスク６の下面に収束された状態で、光ピックアップユニット送り機構４５によって光ピックアップユニットベース５０が光学ディスク６の半径方向に沿って矢印ｃ、ｄ方向へシーク及びトラッキングされて、光学ディスク６に映像情報等が記録、再生されるように構成されている。
【００３４】
そして、本発明の光ディスクドライブ装置１は、光ピックアップユニットベース５０の一側部５０ａへ軸受である円筒状の含油メタル軸受５２を取付けるための取付け構造６０を改良することにより、光ピックアップユニットベース５０の厚みＴ１＝３ｍｍ以下に構成することが可能となったものである。そして、含油メタル軸受５２の取付け構造６０に関与しない光ディスクドライブユニットベース４０の厚みＴ２＝３ｍｍ以下に構成して、スライドベース３の厚みＴ３＝６．５ｍｍ以下に構成することにより、外装２の厚みＴ４＝８ｍｍ以下の超薄型の光ディスクドライブ装置１を構成している。
【００３５】
そこで、図３〜図７によって、本発明の光ディスクドライブ装置１の超薄型化の実現の要因となっている円筒状の含油メタル軸受５２を光ピックアップユニットベース５０の一側部５０ａに取付けるための取付け構造６０について説明する。
【００３６】
ここで、図６に示すように、ガイド主軸４３の直径Ｄ１は強度的な限界値とされるＤ１＝１．５ｍｍに構成され、円筒状の含油メタル軸受５２は、肉厚ｔ１が強度的な限界値とされるｔ１＝０．４ｍｍであり、外径Ｄ２＝２．３ｍｍとなっていて、光ピックアップユニットベース５０の厚みＴ１の含油メタル軸受５２に対する肉厚の差はＴ１−Ｄ２＝０．７ｍｍとなっている。そして、この取付け構造６０に使用されている取付け部材６１として、肉厚ｔ２＝０．３５ｍｍ以下のステンレス板等からなる板バネ６２が使用されている。因に、ガイド副軸４４の直径＝２．０ｍｍ〜１．５ｍｍに構成されている。
【００３７】
そして、光ピックアップユニットベース５０の一側部５０ａの厚み方向の中央部には、上下に均一の段差を有する軸受取付け部６３が形成されていて、その軸受取付け部６３に２個の含油メタル軸受５２を位置決めする２つの位置決め部６４がガイド主軸４３の軸方向に間隔を隔てた２箇所に形成されていて、これら２つの位置決め部６４は含油メタル軸受５２の外周面５２ａと同一半径で同心状の円弧状に形成されている。
【００３８】
一方、板バネ６２で構成されている取付け部材（取付け手段）６１には、２個の含油メタル軸受５２の外周を１８０°以上囲繞する２個の取付け部６５と、これら２個の取付け部６５間を連結する上下一対の連結部６６、６７がほぼ上下対称形状に一体に加工されている。そして、２個の取付け部６５は円弧状の外周部６５ａと、その外周部６５ａの両側の内側にほぼ直角状に折り曲げられた円弧状の内側リブ６１ｂとによって断面形状がほぼコ字状に形成されている。そして、上下一対の連結部６６、６７には１個〜２個のネジ挿通孔６８、６９が形成されている。また、取付け部６３の上下両面には１個〜２個のネジ孔７０、７１が垂直状に形成されている。
【００３９】
この実施例１の含油メタル軸受５２の取付け構造６０は、以上のように構成されていて、２個の含油メタル軸受５２を板バネ６２からなる取付け部材６１の２個の取付け部６５の内側に嵌合させる。この時、２個の取付け部６５の外周部６５ａが各含油メタル軸受５２の外周面５２ａに１８０°以上に囲繞される。
【００４０】
そして、これら２個の含油メタル軸受５２の外周面５２ａの内側領域を光ピックアップユニットベース５０の軸受取付け部６３の２個の円弧状の位置決め部６４に押圧させて、取付け部材６１の上下一対の連結部６６、６７の１個〜２個のネジ挿通孔６８、６９に上下から挿通した１個〜２個の取付け用ネジ７２、７３を光ピックアップユニットベース５０の軸受取付け部６３の上下の１個〜２個の取付け用ネジ孔７０、７１内に上下からネジ込んで締結すると、２個の含油メタル軸受５２が取付け部材６１によってほぼ上下対称状に保持されて、光ピックアップユニットベース５０の一側部５０ａで、その光ピックアップユニットベース５０の厚みＴ１のセンターＰ１０上に同心状に、高精度に取付けられる。
【００４１】
その際、板バネ６２からなる取付け部材６１が、厚みＴ３＝０．３５ｍｍ以下の板バネ６２で構成されていることや２個の取付け部６５の外周部６５ａが２個の含油メタル軸受５２の外周面５２ａを１８０°以上に上下対称形状に囲繞していること、１個〜２個の取付け用ネジ７２、７３の頭部７２ａ、７３ａが光ピックアップユニットベース５０の上下両面５０ｃ、５０ｄより内側に入り込ませること等によって、この取付け構造６０全体を光ピックアップユニットベース５０の厚みＴ１内に収容させることができる。
また、この取付け構造６０によれば、１個の取付け部材６１で２個の含油メタル軸受５２を同様に、高能率に取付けることができて、取付け工数（組立工数）を削減することができる。
【００４２】
なお、図３〜図７に示すように、光ピックアップユニット送り機構４５のリードスクリュー４５ｃのラセン溝４５ｄに係合される係合子５４は取付け部材８０を構成しているほぼＬ型の板バネ８１の垂直部８１ａに合成樹脂等にて一体成形されていて、その板バネ８１の水平部８１ｂが光ピックアップユニットベース５０の下面５０ｄに形成された凹溝８２内に下方から嵌合されている。
【００４３】
そして、その水平部８１ｂの垂直部８１ａとは反対側に形成された段差部８１ｃが光ピックアップユニットベース５０の下面５０ｄの凹溝８２の端部の深い凹部８２ａ内に入り込んでいて、その段差部８１ｃに形成されたネジ孔８３に下方から挿通された取付け用ネジ８４が凹部８２ａ内にて板バネ８１を光ピックアップユニットベース５０に締結している。なお、その取付け用ネジ８４の頭部８４ａも光ピックアップユニットベース５０の下面５０ｄの内側に入り込まれている。
【００４４】
従って、板バネ８１、その取付け用ネジ８３及びその板バネ８１によって片持ち支持された係合子５４の全てが光ピックアップユニットベース５０の厚みＴ１内に収容されている。なお、この係合子５４は板バネ８１の垂直部８１ａの弾性を利用してリードスクリュー４５ｃのラセン溝５４ｄ内に弾性的に係合される。
【実施例２】
【００４５】
次に、図８及び図９によって、本発明の超薄型の光ディスクドライブ装置１における含油メタル軸受５２の取付け構造６０の実施例２を説明する。
なお、図８は含油メタル取付け構造６０の縦断面状態での側面図であり、図９は図８の平面図である。
【００４６】
この実施例２では、実施例１で示した含油メタル軸受５２の取付け部材（取付け手段）６１を構成している板バネ６２の例えば下側の連結部６７のほぼ中央に水平部８５ａと垂直部８５ｂとによってほぼＬ形に形成された係合子支持部８５を一体に形成する。そして、この係合子支持部８５の先端の垂直部８５ｂの前面に合成樹脂等にて成形されている係合子５４を複数の溶着ダボ等の固着手段８６によって垂直状に固着したものである。
そして、実施例１と同様に、この係合子５４を板バネ６２の係合子支持部８５の弾性を利用してリードスクリュー４５ｃのラセン溝４５ｄ内に弾性的に係合させるように構成したものである。
【００４７】
この実施例２の含油メタル軸受５２の取付け構造６０によれば、１個の取付け部材６１によって２個の含油メタル軸受５２を光ピックアップユニットベース５０の一側部５０ａに取付ける際に、リードスクリュー４５ｃのラセン溝４５ｄへの係合子５４もその光ピックアップユニットベース５０の一側部に同時に取付けることができて、取付け用部品の点数（部品点数）及び取付け工数（組立工数）の削減による低コスト化を図ることができる。
【実施例３】
【００４８】
次に、図１０及び図１１によって、本発明の超薄型の光ディスクドライブ装置１における含油メタル軸受５２の取付け構造６０の実施例３を説明する。
なお、図１０は含油メタル軸受５２の取付け構造６０の一部切欠き平面図であり、図１１は図１０のＡ−Ａ矢視での縦断面状態の側面図である。
【００４９】
この実施例３では、円筒状の含油メタル軸受５２の長さを長く構成すると共に、その含油メタル軸受５２の外径Ｄ３を３ｍｍ以下に形成して、肉厚ｔ２＝０．４ｍｍ以上に構成している。
そして、この含油メタル軸受５２の外周で、軸方向のほぼ中央部に環状の凹部８７を形成している。
【００５０】
そして、始めに、この含油メタル軸受５２を環状の凹部８７部分によって光ピックアップユニットベース５０の下面５０ｄ側に配置された円弧状で左右一対の位置決め部６４間の上部に斜め上方から載置、嵌合する。次に、取付け部材８８を含油メタル軸受５２の斜め上方から、その含油メタル軸受５２の凹部８７内に斜め上方から係合する。
【００５１】
そして、この取付け部材８８の基端側８８ａに形成されているネジ挿通孔８９に取付け用ネジ９０を上方から挿通して、この取付け用ネジ９０を光ピックアップユニットベース５０の軸受取付け部６３に形成されているネジ孔９１内に上方から締結して固定して、これら含油メタル軸受５２、取付け部材８８及び取付け用ネジ９０を光ピックアップユニットベース５０の厚みＴ１内に収容させたものである。
【００５２】
そして、この実施例３の含油メタル軸受５２の取付け構造６０によれば、取付け部材６１の構造、加工及び組立工数が簡単となって低コスト化を実現できる上に、その取付け構造６０全体を光ピックアップユニットベース５０の厚みＴ１内に容易に収容することができる。なお、前述したように、光ピックアップユニットベース５０の下面５０ｄ側に取付けられる係合子５４の板バネ８１からなる取付け部材８１は左右一対の位置決め部６４間に収容されて、光ピックアップユニットベース５０の厚みＴ１内に収容される。
【産業上の利用可能性】
【００５３】
以上、本発明の実施例に付き述べたが、本発明は上記した実施例に限定されることなく、本発明の技術的思想に基づいて、各種方式のピックアップ手段が各種方式のピックアップユニットベースに搭載されて使用される光方式、光磁気方式或いは磁気方式にてディスクに情報を記録及び／又は再生する各種のディスクドライブ装置に適用することが可能である。
【図面の簡単な説明】
【００５４】
【図１】本発明を適用した光ディスクドライブ装置全体の斜視図である。
【図２】同上の光ディスクドライブ装置の光ディスクドライブユニット及び光ピック    アップユニットを示した斜視図である。
【図３】同上の光ディスクドライブ装置の光ピックアップユニットベースを示した斜    視図である。
【図４】同上の光ピックアップユニットベースへの含油メタル軸受の取付け構造の実    施例１を説明する分解斜視図である。
【図５】同上の光ピックアップユニットベースへの含油メタル軸受の取付け構造の実    施例１を下方から見た分解斜視図である。
【図６】同上の含油メタル軸受の取付け構造の実施例１における縦断面状態での側面    図である。
【図７】図６の一部切欠き平面図である。
【図８】同上の光ピックアップユニットベースへの含油メタル軸受の取付け構造の実    施例２を説明する縦断面状態での側面図である。
【図９】図８の一部切欠き平面図である。
【図１０】同上の光ピックアップユニットベースへの含油メタル軸受の取付け構造の    実施例３を説明する一部切欠き平面図である。
【図１１】図１０のＡ−Ａ矢視での断面図である。
【図１２】同上の光ピックアップユニットベースの薄型化への考察を説明する断面図    である。
【符号の説明】
【００５５】
１    光ディスクドライブ装置、  ２    外装、  ３    ローディング・イジェクト用スライドベース、  ４    光ディスクドライブユニット、  ４０  光ディスクドライブユニットベース、  ４１  スピンドルモータ、  ４２  開口部、  ４３  ガイド主軸、
４５  光ピックアップユニット送り機構、  ４５ｃ  リードスクリュー、
４５ｄ  リードスクリューのラセン溝、  ５    光ピックアップユニット、
５０  光ピックアップユニットベース、  ５１  光ピックアップ、  ５２  含油メタル軸受、  ５４  係合子、  ６０  含油メタル軸受の取付け構造、  ６１  取付け部材、
６２  板バネ、  ６３  軸受取付け部、  ６４  位置決め部、  ６５  取付け部材の取付け部、  ６５ａ  円弧状の外周部、  ６５ｂ  内側リブ、  ６６  連結部、
６７  連結部、  ７０  ネジ孔、  ７１  ネジ孔、  ７２  取付け用ネジ、
８０  係合子の取付け部材、  ８１  板バネ、  ８２  凹溝、  ８３  ネジ孔、
８４  取付け用ネジ、  ８５  係合子支持部、  ８６  固着手段、  ８７  環状の凹溝、  ８８  取付け部材、  ９０  取付け用ネジ、  ９１  ネジ孔
【図１】
2006216151.tif 000003
【図２】
2006216151.tif 000004
【図３】
2006216151.tif 000005
【図４】
2006216151.tif 000006
【図５】
2006216151.tif 000007
【図６】
2006216151.tif 000008
【図７】
2006216151.tif 000009
【図８】
2006216151.tif 000010
【図９】
2006216151.tif 000011
【図１０】
2006216151.tif 000012
【図１１】
2006216151.tif 000013
【図１２】
2006216151.tif 000014